(57)【要約】      （修正有）【課題】戸体のスライド方向への移動をガイドするガイド部材を備え、ガイド部材を戸体に容易に取り付けることができ、ガイド部材が変形することを低減させることができ、かつ、ガイド部材の交換などのメンテナンス性を向上させることができる戸体を提供する。【解決手段】建具は、枠体と、枠体内にスライド移動可能に配置される戸体と、戸体の戸先側に取り付けられ戸体の下部の側方に配置されるガイド部材３６と、戸体の下部の側方に配置され戸体のスライド方向に沿って延びると共にガイド部材３６をスライド方向に移動可能にガイドするガイドレール２６と、を備え、ガイドレール２６は、ガイドレール２６の側部に設けられガイド部材３６を挿入可能なガイド部材挿入部２６４を有する。【選択図】図１５
2020200634.tif 000002
【特許請求の範囲】
【請求項１】
枠体と、
前記枠体内にスライド移動可能に配置される戸体と、
前記戸体の戸先側に取り付けられ前記戸体の下部の側方に配置されるガイド部材と、
前記戸体の下部の側方に配置され前記戸体のスライド方向に沿って延びると共に前記ガイド部材をスライド方向に移動可能にガイドするガイドレールと、を備え、
前記ガイドレールは、該ガイドレールの側部に設けられ前記ガイド部材を挿入可能なガイド部材挿入部を有する、建具。
【請求項２】
前記ガイド部材挿入部は、前記ガイド部材を挿入可能に前記ガイドレールの側部の少なくとも一部を開放した開口部により構成される、請求項１のいずれかに記載の建具。
【請求項３】
前記ガイド部材挿入部は、前記ガイドレールにおける前記戸体の戸先側の端部に配置される、請求項1又は２に記載の建具。
【請求項４】
前記戸体が閉位置に位置する場合に、見付方向において、前記ガイド部材における前記ガイドレールに配置される先端部分は、前記ガイド部材挿入部よりも前記戸体の戸尻側に位置する、請求項１〜３のいずれかに記載の建具。
【請求項５】
前記ガイド部材は、先端部分に設けられスライド方向に移動可能に前記ガイドレールに配置されるローラ部と、前記戸体の戸先側の端部に取り付けられる取付部と、前記ローラ部と前記取付部とを接続する平面視Ｌ字状の腕部と、を有する、請求項１〜４のいずれかに記載の建具。
【発明の詳細な説明】
【技術分野】
【０００１】
本発明は、スライド移動可能に配置された戸体と、戸体の下部に取り付けられたガイド部材と、ガイド部材を戸体のスライド方向に移動可能にガイドするガイドレールと、を備える建具に関する。
【背景技術】
【０００２】
従来、枠体と、枠体内に見付方向にスライド移動可能に配置される上吊式の戸体と、を備える建具が知られている（例えば、特許文献１参照）。上吊式の戸体は、上部が吊られており、下部には、戸体の開閉を円滑に行うためのガイドローラ（ガイド部材）が設けられている。特許文献１の建具は、片開きの引戸であり、ガイドローラが戸先側と戸尻側の２箇所に設けられている。
【０００３】
特許文献１の戸先側のガイドローラは、戸体の戸先側に取り付けられ、戸体の側方に配置されたガイドレールに沿って移動するように構成されている。戸先側のガイドローラは、ローラ部と腕部と取付部とを有しており、ガイドローラの先端に配置されるローラ部がガイドレールの内部を戸体のスライド方向に沿って移動可能である。戸先側のガイドローラは、ローラ部がガイドレールの外部に出ないように、ローラ部の高さよりも小さい開口溝を腕部が移動するように構成されている。
【０００４】
従来、特許文献１の建具においては、戸先側のガイドローラは、工場からの出荷時においては、戸体に取り付けられずに、ガイドレールに挿入された状態で工場から出荷され、施工現場において、戸体に取り付けられていた。戸先側のガイドローラは、工場において、ガイドレールに挿入した後に、縦枠と下枠とを組み立てることで、ガイドレールから取り外せない状態で配置される。つまり、縦枠と下枠とを外さない状態においては、戸先側のガイドローラは、ガイドレールから取り外せない状態である。
【先行技術文献】
【特許文献】
【０００５】
【特許文献１】特開２００５−６８９２０号公報
【発明の概要】
【発明が解決しようとする課題】
【０００６】
特許文献１の建具においては、戸先側のガイドローラは、工場において、ガイドレールに挿入した後に、縦枠と下枠とを組み立てることで、ガイドレールから取り外せない状態で配置される。そのため、戸先側のガイドローラは、ガイドレールから取り外せない状態で工場から出荷され、施工現場において、戸体の戸先側に取り付けられる。よって、施工現場において、戸先側のガイドローラは、戸体の吊り込み時に邪魔になり易く、戸体に当たって変形する虞もある。また、縦枠と下枠とを外さない状態においては、ガイドローラをガイドレールから取り外せないため、戸先側のガイドローラを交換する作業に手間が掛かる。
【０００７】
本発明は、戸体のスライド方向への移動をガイドするガイド部材を備え、ガイド部材を戸体に容易に取り付けることでき、ガイド部材が変形することを低減させることができ、かつ、ガイド部材の交換などのメンテナンス性を向上させることができる戸体を提供することを目的とする。
【課題を解決するための手段】
【０００８】
本発明は、枠体と、前記枠体内にスライド移動可能に配置される戸体と、前記戸体の戸先側に取り付けられ前記戸体の下部の側方に配置されるガイド部材と、前記戸体の下部の側方に配置され前記戸体のスライド方向に沿って延びると共に前記ガイド部材をスライド方向に移動可能にガイドするガイドレールと、を備え、前記ガイドレールは、該ガイドレール側部に設けられ前記ガイド部材を挿入可能なガイド部材挿入部を有する、建具に関する。
【図面の簡単な説明】
【０００９】
【図１】本発明の一実施形態に係る建具を示す斜視図である。
【図２】図１のＡ−Ａ線断面図である。
【図３】上枠前面カバーの取り付け状態を示す斜視図である。
【図４】吊り下げ構造を示す斜視図である。
【図５】スライドドアの上部側屋内外方向位置調整機構を説明するための図である。
【図６】スライドドアを屋内側から視た斜視図である。
【図７】戸先側ガイドレール及び戸尻側ガイドレールを示す斜視図である。
【図８】図１のＢ−Ｂ線断面図である。
【図９】スライドドアの下部周辺の構造を示す断面図である。
【図１０】下部ガイド枠へのパッキン部材の取り付け状態を示す斜視図である。
【図１１】スライドドアの戸先側端部において、先端カバーを外した状態を示す斜視図である。
【図１２】戸先側ガイドローラを示す斜視図である。
【図１３】戸先側ガイドローラをスライドドアの戸先側端部から外した状態を示す斜視図である。
【図１４】スライドドアの閉鎖状態において、戸先側ガイドローラの位置を示す斜視図である。
【図１５】戸先側ガイドローラの施工手順を説明するための図である。
【図１６】戸先側ガイドローラ位置調整機構を説明する図であって、戸先側ガイドローラ及び中間カバーを取り外した状態を示す斜視図である。
【図１７】戸先側ガイドローラ位置調整機構を説明する図であって、裏板部材の取り付け状態を示す図である。
【図１８】戸尻側ガイドローラの取付構造を上方側から視た斜視図である。
【図１９】戸尻側ガイドローラの取付構造を下方側から視た斜視図である。
【図２０】戸尻側ガイドローラ位置調整機構を説明する図である。
【図２１】図１８のＣ−Ｃ線断面図である。
【図２２】図１８のＤ−Ｄ線断面図である。
【発明を実施するための形態】
【００１０】
以下、本発明の好ましい実施形態について、図面を参照しながら説明する。
なお、本明細書において、「見付方向」とは、枠体２に納められたスライドドア３の面方向を意味し、「見込方向」とは、屋内外方向（即ち、奥行き方向）を意味する。
【００１１】
図１に示すように、本実施形態の建具１は、建物（図示せず）に固定される枠体２と、枠体２の内側に納められるスライドドア３（戸体）と、を備える。
【００１２】
枠体２は、建物（図示せず）の所定箇所に取り付けられる。枠体２は、上枠２１、下枠２２及び縦枠２３が、左右方向の一方側が開放するコ字状に組まれて構成される。上枠２１、下枠２２及び縦枠２３は、例えば、アルミニウム材料により形成される。
【００１３】
上枠２１は、枠体２の上側に配置され、左右方向（横方向）に延びる。
下枠２２は、枠体２の下側に配置され、上枠２１に平行に左右方向（横方向）に延びる。
縦枠２３は、上枠２１の左右方向の他方側の端部と下枠２２の左右方向の他方側の端部とを繋いで上下方向（縦方向）に延びる。縦枠２３の上端部は、上枠２１の左右方向の他方側の側部の側方に配置される。
【００１４】
上枠２１は、図２に示すように、中空部２１１と、中空部２１１の上端から前方に延出する延出部２１２と、前端屈曲片２１３と、上枠係止片２１４と、を有する。
前端屈曲片２１３は、延出部２１２の前端部から下方に延び且つ下端において後側に屈曲して形成される。上枠係止片２１４は、延出部２１２の前側における前端屈曲片２１３の後方に配置され、下方に突出し且つ下端部において前側に屈曲し、前端において上方に突出して形成される。上枠２１は、前面が開放して形成される。上枠２１の前面には、上枠前面カバー２４が配置されている。
【００１５】
上枠前面カバー２４は、図１に示すように、上枠２１の前面に配置される。上枠前面カバー２４は、上下方向に幅を有して、左右方向（横方向）に延びる。
上枠前面カバー２４は、上枠２１の内部に例えばスライドドア３を吊る吊下げ構造４（図４参照）等が配置される場合に、上枠２１の内部のメンテナンスを可能とするため、上枠２１の前面から取り外し可能に構成される。
【００１６】
上枠前面カバー２４は、図２に示すように、前面板２４１と、上側係止片２４２と、下端片２４３と、を有する。
前面板２４１は、上下方向に幅を有して左右方向に延びる板状に形成される。
上側係止片２４２は、前面板２４１の裏面の上方側に形成され、左右方向に延びると共に、後方に延び且つ後端において下方に開放する係止部２４２ａが形成される。上側係止片２４２の係止部２４２ａは、上枠２１の上枠係止片２１４に係止される。
下端片２４３は、前面板２４１の裏面の下端部に形成され、左右方向に延びると共に、後方に延び且つ後端において上方に屈曲するＬ字状に形成される。
【００１７】
上枠前面カバー２４は、左右方向の両端部それぞれにおいて、図２及び図３に示すように、第１取付金具２４４及び第２取付金具２４５を介して、側面板２５（側部受け部）に取り付けられている。
一対の側面板２５は、図１に示すように、それぞれ、板状に形成され、上枠２１の左右方向の両端部の側部に配置される。上枠２１の左右方向の一端部側の開放端部に配置される側面板２５は、上枠２１の側部に固定される。また、上枠２１の左右方向の他端部側の閉鎖端部の側面板２５は、上枠２１の側部と縦枠２３の上端部の内面との間に挟まれた状態で、上枠２１の側部及び縦枠２３の上端部の間に固定される。
【００１８】
上枠前面カバー２４は、左右方向の両端部それぞれにおいて、第１取付金具２４４及び第２取付金具２４５を介して、側面板２５に取り付けられる。
上枠前面カバー２４が側面板２５に取り付けられる構造は、左右方向の両端部において、左右対称であるのみで、同様の構造である。そのため、本実施形態においては、上枠前面カバー２４の左右方向の開放端部側の構造について説明する。
【００１９】
図２及び図３に示すように、第１取付金具２４４は、Ｌ字状に形成され、水平方向に延びる下面板金２４４ｂと、下面板金２４４ｂの外側の端部から上方に延びる側面板金２４４ａと、を有する。第１取付金具２４４は、側面板金２４４ａが側面板２５の内側面にネジ固定される。
第２取付金具２４５は、Ｌ字状に形成され、水平方向に延びる上面板金２４５ａと、上面板金２４５ａの前面側の端部から下方に延びる前面板金２４５ｂと、を有する。第２取付金具２４５は、前面板金２４５ｂが上枠前面カバー２４の下端片２４３にネジ固定される。
【００２０】
第１取付金具２４４の下面板金２４４ｂと第２取付金具２４５の上面板金２４５ａとは、ネジ固定される。これにより、上枠前面カバー２４は、第１取付金具２４４及び第２取付金具２４５を介して、側面板２５に取り付けられる。
【００２１】
スライドドア３は、図１に示すように、枠体２の内側に配置される。本実施形態においては、スライドドア３は、枠体２内を左右方向にスライド移動可能に構成され、片引きの吊り式の玄関ドア等の開き戸である。スライドドア３の上端は、図４に示すように、吊り下げ構造４により、上枠２１の内部に配置される複数の吊車４４を介して、吊られている。
【００２２】
スライドドア３の吊り下げ構造４は、図４及び図５に示すように、上枠２１に固定される上枠レール４１と、２つの吊車ユニット４２と、を有する。２つの吊車ユニット４２は、スライドドア３の上端部において左右方向に離間して配置される。
上枠レール４１は、上枠２１の中空部２１１の前面に固定され、左右方向に延びる。上枠レール４１は、前側に突出すると共に左右方向に延びるガイド部４１１を有する。
２つの吊車ユニット４２は、左右方向に移動可能に上枠レール４１に配置される。
【００２３】
２つの吊車ユニット４２は、それぞれ、取付部材４３と、吊車４４と、を有する。
取付部材４３は、左右方向の水平方向に延びるドア側取付板材４３１と、ドア側取付板材４３１の前後方向の端部から上方に延びる吊車取付板材４３２と、を有する。
【００２４】
吊車取付板材４３２には、図５に示すように、屋内外方向に延びる回転軸４４１を中心に回転可能な吊車４４が取り付けられる。２つの吊車４４は、スライドドア３が左右方向に移動する際に、下端部が、上枠レール４１のガイド部４１１にガイドされ、左右方向に移動可能である。
【００２５】
ドア側取付板材４３１には、屋内外方向に延びる取付用長穴４３１ａが形成され、スライドドア３の上端面に、締結ネジ４５により固定される。締結ネジ４５を緩めた状態で、ドア側取付板材４３１を取付用長穴４３１ａに沿って移動させることで屋内外方向の位置を調整して、締結ネジ４５で固定することで、吊車ユニット４２の屋内外方向の位置を調整できる。
取付用長穴４３１ａ及び締結ネジ４５は、スライドドア３の上部側の位置を調整可能な上部側屋内外方向位置調整機構５１を構成する。
【００２６】
スライドドア３は、左右方向（見付方向）にスライド移動可能に、図６及び図７に示すように、下部において、戸先側ガイドローラ３６（ガイド部材）及び戸尻側ガイドローラ３７（ガイド部材）にガイドされる。なお、本実施形態において、スライドドア３の戸先側とは、スライドドア３を開位置から閉位置に左右方向にスライド移動させる場合の先端側を意味し、スライドドア３の戸尻側とは、スライドドア３を開位置から閉位置に左右方向にスライド移動させる場合の後端側を意味する。
【００２７】
戸先側ガイドローラ３６は、図７に示すように、スライドドア３の戸先側の端部側の側方に配置され、スライドドア３の戸先側の端部側の下部をガイドする。
戸尻側ガイドローラ３７は、スライドドア３が閉位置に位置する場合におけるスライドドア３の戸尻側の端部側の下方に配置され、下枠２２から上方に突出するように取り付けられ、スライドドア３の戸尻側の端部側の下部をガイドする。
戸先側ガイドローラ３６及び戸尻側ガイドローラ３７の詳細については後述する。
【００２８】
スライドドア３は、屋内外方向位置調整機構５により、屋内外方向の位置を調整可能に構成される。屋内外方向位置調整機構５は、前述のスライドドア３の上部側屋内外方向位置調整機構５１（図５参照）と、下部側調整機構５２と、を備える。下部側調整機構５２は、戸先側ガイドローラ位置調整機構６（ガイド部材位置調整機構）（図６参照）と、戸尻側ガイドローラ位置調整機構７（ガイド部材位置調整機構）（図７参照）と、を有する。戸先側ガイドローラ位置調整機構６及び戸尻側ガイドローラ位置調整機構７の詳細については後述する。
【００２９】
スライドドア３は、図６に示すように、芯材枠体３１と、屋内側面材３２１と、屋内側ハンドル３２２と、屋外側面材３２３と、屋外側化粧材３２４と、屋外側ハンドル３２５と、開口部３２６と、ガラス３２７と、スライドドア３の下部において芯材枠体３１の下部に取り付けられる下部ガイド枠３３（ガイド枠）と、を備える。
【００３０】
芯材枠体３１は、図６に示すように、スライドドア３の芯材を構成し、スライドドア３の四周を囲んで配置される。芯材枠体３１は、上芯材３１１と、下芯材３１２と、一対の縦芯材３１３と、を有し、上芯材３１１、下芯材３１２及び一対の縦芯材３１３により矩形に枠組みされている。
【００３１】
上芯材３１１は、スライドドア３の上端部において、左右方向に延びて形成される。上芯材３１１には、図５に示すように、吊り下げ構造４が取り付けられ、吊り下げ構造４により、枠体２の上枠２１に吊られている。
【００３２】
下芯材３１２は、図８に示すように、スライドドア３の下端部において、左右方向に延びて形成されると共に、下方が開放されている。下芯材３１２は、図９に示すように、下芯材前面板３１２ａと、下芯材前面下端片３１２ｂと、下芯材上面板３１２ｃと、下芯材背面Ｌ字板３１２ｄと、を有する。
【００３３】
下芯材前面板３１２ａは、下芯材３１２における屋外側に配置され、上下方向に延びる。
下芯材前面下端片３１２ｂは、下芯材前面板３１２ａの下端部から屋内側に突出する。
下芯材上面板３１２ｃは、下芯材前面板３１２ａの上端部から屋内側に水平に延びる。
下芯材背面Ｌ字板３１２ｄは、下芯材上面板３１２ｃの屋内側の端部から下方に延び、かつ、下端部において屋外側に屈曲するＬ字状に形成される。
【００３４】
下部ガイド枠３３は、図９に示すように、上面が下芯材３１２の下芯材上面板３１２ｃの下面に固定されている。下部ガイド枠３３は、枠本体３３１と、前面係止片３３２と、ドア側嵌合部３３３（戸体側嵌合部）と、を有する。
【００３５】
枠本体３３１は、下方に開放する逆Ｕ字形状に形成される。枠本体３３１の上面板の上面には、下芯材３１２の下芯材上面板３１２ｃが固定されている。枠本体３３１の内部には、戸尻側ガイドローラ３７のローラ部３７１（後述）が配置される。下部ガイド枠３３は、スライドドア３が左右方向にスライド移動した場合に、戸尻側ガイドローラ３７のローラ部３７１にガイドされる。
前面係止片３３２は、枠本体３３１の前側の下端部から前側に突出する。前面係止片３３２には、下芯材３１２の下芯材前面下端片３１２ｂが係止される。
【００３６】
下部ガイド枠３３の屋内側の面には、図９に示すように、ドア側嵌合部３３３を介して、パッキン部材３４（気密材）が取り付けられている。
ドア側嵌合部３３３は、スライドドア３の下部に固定された下部ガイド枠３３の屋内側の側面に設けられ、ドア側嵌合部３３３には、パッキン部材３４が嵌合により取り付けられている。ドア側嵌合部３３３は、上側嵌合溝部３３４と、下側嵌合溝部３３５と、を有する。
【００３７】
上側嵌合溝部３３４は、屋内側の側方に開放する溝状に形成される。上側嵌合溝部３３４には、パッキン部材３４の上側突出嵌合部３４５が嵌合する。
下側嵌合溝部３３５は、上側嵌合溝部３３４の下方に並んで形成され、屋内側の側方に開放し、上側嵌合溝部３３４の溝よりも上下方向に大きな幅を有する溝状に形成される。下側嵌合溝部３３５には、パッキン部材３４の下側突出嵌合部３４６が嵌合する。
【００３８】
パッキン部材３４は、図９に示すように、スライドドア３の下部に配置される下部ガイド枠３３に取り付けられ、側方に配置される側方ガイド２６（ガイドレール、被押圧部）の側面に押圧可能である。パッキン部材３４は、中空部３４１と、２つのヒレ部３４２と、上方突出片３４３（上方突出部）と、パッキン側嵌合部３４４（気密材側嵌合部）と、を有する。パッキン部材３４は、例えば、弾性を有するゴム材料により形成される。
【００３９】
中空部３４１は、方形状の中空に形成され、下部ガイド枠３３の屋内側の側面に対向して配置され、左右方向に延びる。
【００４０】
２つのヒレ部３４２は、中空部３４１の屋内側の側面において、上下方向に並んで配置される。２つのヒレ部３４２は、中空部３４１の屋内側の側面から屋内側に突出するように形成される。なお、本実施形態においては、２つのヒレ部３４２により構成したが、ヒレ部３４２の数は限定されず、３つ以上のヒレ部３４２により構成してもよい。
【００４１】
２つのヒレ部３４２は、それぞれ、基端側において水平に形成されると共に、先端側において上向きに傾斜して延びる上向き傾斜部３４２ａを有する。上向き傾斜部３４２ａは、先端に向かうに従って上方に向かうように傾斜して延びる。上向き傾斜部３４２ａの側方ガイド２６に接触する側の面には、摺動性を有するような表面加工が施されている。これにより、パッキン部材３４の摺動音を低減できる。
【００４２】
２つのヒレ部３４２は、製造バラツキなどによりパッキン部材３４の配置位置が異なったとしても、少なくとも１つが、側方ガイド２６の逆Ｕ字状部２６１の屋内側の側面を押圧するように形成される。これにより、製造バラツキがあっても、２つのヒレ部３４２は、少なくとも１つが、側方ガイド２６の逆Ｕ字状部２６１の屋内側の側面を押圧するため、パッキン部材３４により、気密性及び水密性を確保できる。
【００４３】
上方突出片３４６ａは、２つのヒレ部３４２よりも上方側に配置される。上方突出片３４６ａは、スライドドア３の下部において、パッキン部材３４の上部に配置されるリベット３２１ｂの頭部（スライドドア３の下部の少なくとも一部）を覆うように、上方側に突出する。
【００４４】
パッキン側嵌合部３４４は、スライドドア３の下部に配置される下部ガイド枠３３のドア側嵌合部３３３に嵌合する。
パッキン側嵌合部３４４は、上側突出嵌合部３４５と、下側突出嵌合部３４６と、を有する。
【００４５】
上側突出嵌合部３４５は、中空部３４１から屋外側の側方にＴ字状に突出して形成される。上側突出嵌合部３４５は、ドア側嵌合部３３３の上側嵌合溝部３３４に嵌合する。
下側突出嵌合部３４６は、上側突出嵌合部３４５の下方に並んで形成され、中空部３４１から屋外側の側方にＬ字状に突出する２つのＬ字突出片（上方にＬ字状に突出した上側突出片、下方にＬ字状に突出した下側突出片）を有する。下側突出嵌合部３４６の上下方向の幅は、上側突出嵌合部３４５の上下方向の幅よりも大きく形成される。下側突出嵌合部３４６には、ドア側嵌合部３３３の下側嵌合溝部３３５に嵌合する。
【００４６】
本実施形態においては、パッキン部材３４のパッキン側嵌合部３４４は、上方側に上側突出嵌合部３４５が配置され、下方側に下側突出嵌合部３４６が配置された状態で、下部ガイド枠３３のドア側嵌合部３３３に嵌合する。そのため、パッキン側嵌合部３４４及びドア側嵌合部３３３は、２つのヒレ部３４２の上向き傾斜部３４２ａが上向き傾斜の状態で配置された場合のみ嵌合する。パッキン部材３４を下部ガイド枠３３のドア側嵌合部３３３に嵌合させる際には、パッキン部材３４の上下が反対の状態では、パッキン部材３４は、下部ガイド枠３３のドア側嵌合部３３３に嵌合できない。よって、パッキン部材３４の上下を反対にした状態で取り付けることを防止できる。
【００４７】
パッキン部材３４は、図１０に示すように、長手方向に延びて形成され、パッキン側嵌合部３４４がスライドドア３のドア側嵌合部３３３に嵌合された状態において、長手方向の複数の位置において、ドア側嵌合部３３３において挟み込まれて（カシメられて）形成されたカシメ部３３３ａにおいて固定される。本実施形態においては、パッキン部材３４は、長手方向の両端部側における２箇所の位置において、カシメ部３３３ａおいて固定されている。
【００４８】
屋内側面材３２１は、図６に示すように、スライドドア３の屋内側の表面に配置される。屋内側面材３２１の下端部には、図９に示すように、屋外側に屈曲する屈曲部分３２１ａが形成される。屈曲部分３２１ａは、リベット３２１ｂにより、下芯材３１２の下芯材背面Ｌ字板３１２ｄの下面に固定されている。リベット３２１ｂの頭部は、下芯材３１２の下芯材背面Ｌ字板３１２ｄの下面に配置されている。
【００４９】
屋内側ハンドル３２２は、図６に示すように、スライドドア３の屋内側の表面において、スライドドア３の左右方向の他方側における高さ方向の略中央部に配置される。屋内側ハンドル３２２を使用者が把持してスライドドア３を左右方向に移動させることで、スライドドア３を開放位置又は閉鎖位置に移動させることができる。
【００５０】
屋外側面材３２３は、図６に示すように、スライドドア３の屋外側の表面に配置される。
屋外側面材３２３の表面には、複数の屋外側化粧材３２４が配置される。複数の屋外側化粧材３２４は、左右方向に幅を有して上下方向に延びて形成され、ガラス３８が配置される部分を避けて、左右方向に並べられている。複数の屋外側化粧材３５は、左右方向に並べられた状態で、全体として、スライドドア３の左右方向の両端部側から中央側に向けて滑らかに膨出するように形成されている。
【００５１】
屋外側ハンドル３２５は、スライドドア３の屋外側の表面において、スライドドア３の左右方向の他方側における高さ方向の略中央部に配置される。屋外側ハンドル３２５を使用者が把持してスライドドア３を左右方向に移動させることで、スライドドア３を開放位置又は閉鎖位置に移動させることができる。
【００５２】
開口部３２６は、図６に示すように、芯材枠体３１の内側であって、スライドドア３の見付方向（左右方向）の中心よりも建具１の枠体２の開放端側に形成される。本実施形態においては、開口部３２６は、上下方向に縦長に延びる。開口部３２６には、ガラス３２７が納められている。
【００５３】
戸先側ガイドローラ３６の詳細について説明する。戸先側ガイドローラ３６は、図１１〜図１３に示すように、スライドドア３の戸先側の下部の側方に取り付けられ、スライドドア３のスライド方向（左右方向）に沿って移動する。
【００５４】
戸先側ガイドローラ３６は、図１１〜図１３に示すように、スライドドア３の戸先側端部に固定される。戸先側ガイドローラ３６は、ローラ部３６１と、取付板３６２と、平面視Ｌ字状の腕部３６３と、を有する。
ローラ部３６１は、戸先側ガイドローラ３６の先端部分に設けられ、左右方向にスライド移動可能に、側方ガイド２６の内部に配置される。
取付板３６２は、上下方向に延びて形成され、スライドドア３の戸先側の端部に取り付け可能である。
【００５５】
腕部３６３は、平面視Ｌ字状に形成されており、ローラ部３６１と取付板３６２とを接続する。腕部３６３は、上下方向に厚みを有する板状に形成される。腕部３６３は、スライドドア３の戸先側の先端において取付板３６２の下端部に接続され、取付板３６２の下端部からスライドドア３の下面に沿って戸尻側に所定長さ延び、戸尻側の端部において屋内側に屈曲して、戸尻側の端部から屋内側に所定長さ延びる。
【００５６】
側方ガイド２６は、スライドドア３のスライド方向（左右方向）に延びると共に、戸先側ガイドローラ３６の屋内外方向の移動を規制しながら、戸先側ガイドローラ３６をスライド方向（左右方向）に移動可能にガイドする。側方ガイド２６は、図８に示すように、スライドドア３の下部の屋内側の側方に配置され、屋内側に延びる延在取付片２６５において、下枠２２に固定される。側方ガイド２６は、例えば、アルミニウム材料で形成される。
【００５７】
側方ガイド２６の屋内側の隣りには、図８に示すように、左右方向に延びるラバー固定枠２７が配置される。ラバー固定枠２７には、上部に２つの嵌合部２７１が形成され、ラバー固定枠２７の下部は、下枠２２の上面に、側方ガイド２６の延在取付片２６５及び下枠上面カバー２２２（後述）と共に固定される。ラバー固定枠２７の上部に形成される２つの嵌合部２７１には、それぞれ、左右方向に延びるゴム製のラバー部材２８が嵌合されて取り付けられる。ラバー固定枠２７は、例えば、アルミニウム材料で形成される。
【００５８】
側方ガイド２６と下枠２２の上面との間には、図８に示すように、下枠上面カバー２２２が配置されている。下枠上面カバー２２２は、シート状に形成され、屋外側の端部に形成されるＵ字状係合部２２２ａを有する。Ｕ字状係合部２２２ａは、下枠２２の上面の屋内外方向の屋外側の端部において下枠２２に係合される。下枠上面カバー２２２は、例えば、ステンレス材料で形成される。
【００５９】
側方ガイド２６は、下方に開放する逆Ｕ字状の逆Ｕ字状部２６１と、逆Ｕ字状部２６１の屋内側の端部から後方に延びる延在取付片２６５と、を有する。
延在取付片２６５は、ラバー固定枠２７の下部と下枠上面カバー２２２との間に配置された状態で、下枠２２の上面に固定される。
【００６０】
逆Ｕ字状部２６１の屋外側の側面には、図９、図１１及び図１３に示すように、前面２６２が形成される。前面２６２は、上下方向に幅を有して左右方向に延びる。前面２６２には、図９に示すように、スライドドア３の下部に取り付けられたパッキン部材３４が押し当てられる。前面２６２の下部には、左右方向に延びる横長隙間２６３が形成される。
【００６１】
横長隙間２６３は、前面２６２の下端部と下枠２２の上面との間の隙間である。横長隙間２６３は、側方ガイド２６の屋外側の側面において、前面２６２の下部において前方側に向けて開放して形成され、左右方向に延びる。横長隙間２６３には、戸先側ガイドローラ３６が左右方向に移動する際に、戸先側ガイドローラ３６の腕部３６３が左右方向に移動可能に挿通されている。横長隙間２６３の上下方向の長さは、戸先側ガイドローラ３６の腕部３６３の厚さよりも大きく形成され、戸先側ガイドローラ３６のローラ部３６１の部分の高さよりも小さく形成される。これにより、横長隙間２６３から戸先側ガイドローラ３６のローラ部３６１を挿入することができず、かつ、ガイドローラ挿入部２６４から挿入された戸先側ガイドローラ３６のローラ部３６１が、横長隙間２６３から外に出ることはない。
【００６２】
横長隙間２６３の左右方向の縦枠２３側の一端部には、図１４に示すように、ガイドローラ挿入部２６４（ガイド部材挿入部）が形成される。ガイドローラ挿入部２６４は、戸先側ガイドローラ３６をスライドドア３に取り付ける際に、戸先側ガイドローラ３６のローラ部３６１を側方ガイド２６の内部に配置する場合に用いられる。
【００６３】
本実施形態では、ガイドローラ挿入部２６４は、図１４に示すように、側方ガイド２６の屋外側の側部において、スライドドア３の戸先側の端部に形成される。ガイドローラ挿入部２６４は、スライドドア３に取り付けていない状態の戸先側ガイドローラ３６を挿入可能である。ガイドローラ挿入部２６４は、戸先側ガイドローラ３６を挿入可能に、側方ガイド２６の側部の少なくとも一部を開放した開口により構成されている。
【００６４】
なお、本実施形態においては、ガイドローラ挿入部２６４を側方ガイド２６の側部を開放した開口により構成したが、これに限定されない。ガイドローラ挿入部２６４は、戸先側ガイドローラ３６を挿入可能であればよく、例えば、本実施形態のように開口でもよいし、凹部でもよいし、切り欠きでもよい。また、例えば、本実施形態の側方ガイド２６の横長隙間２６３のように、戸先側ガイドローラ３６をそのままの状態では横から挿入できなくても、戸先側ガイドローラ３６を傾けてくぐらせることで挿入できるように構成してもよい。
【００６５】
戸先側ガイドローラ３６のローラ部３６１は、スライドドア３が閉位置に位置する場合に、図１４に示すように、見付方向において、ガイドローラ挿入部２６４よりも戸尻側に位置する。言い換えると、スライドドア３が閉位置に位置する場合に、図１４に示すように、見付方向において、スライドドア３における戸先側の端部から戸先側ガイドローラ３６におけるローラ部３６１の戸先側の端部までの距離Ｌ２は、スライドドア３における戸先側の端部からガイドローラ挿入部２６４の戸尻側の端部までの距離Ｌ１以上である（Ｌ２≧Ｌ１）。これにより、スライドドア３が左右方向のいずれの位置に位置していても、スライドドア３の取り付けられた戸先側ガイドローラ３６のローラ部３６１は、ガイドローラ挿入部２６４の位置からずれた位置に位置するため、ガイドローラ挿入部２６４から外に出ることが防止される。
【００６６】
戸先側ガイドローラ３６をスライドドア３の戸先側の端部に取り付ける場合には、図１５（ａ）に示すように、戸先側ガイドローラ３６において、ローラ部３６１を左右方向の縦枠２３側に配置すると共に取付板３６２を左右方向の縦枠２３と反対側に配置した状態で、ローラ部３６１をガイドローラ挿入部２６４から側方ガイド２６の内部に挿入する。そして、図１５（ｂ）及び（ｃ）に示すように、戸先側ガイドローラ３６のローラ部３６１を、側方ガイド２６の内部において左右方向の縦枠２３と反対側に移動するように、取付板３６２を中心に、９０°程度回転させて向きを変える。
【００６７】
そして、図１３に示すように、戸先側ガイドローラ３６を側方ガイド２６に沿って左右方向の縦枠２３と反対側に移動させて、戸先側ガイドローラ３６の取付板３６２をスライドドア３の戸先側の端部に取り付けてた状態で、締結ネジ６４で固定する。これにより、戸先側ガイドローラ３６をスライドドア３の戸先側の端部に取り付けることができる。
【００６８】
戸先側ガイドローラ３６は、図１６及び図１７に示すように、戸先側ガイドローラ位置調整機構６（ガイド部材位置調整機構、屋内外方向調整機構、上下方向調整機構）により、スライドドア３の屋内外方向の位置を調整可能に構成される。
戸先側ガイドローラ位置調整機構６は、スライドドア３の戸先側に取り付られる。
【００６９】
戸先側ガイドローラ位置調整機構６は、戸先側ガイドローラ３６の屋内外方向の位置を調整可能な屋内外方向調整機構と、戸先側ガイドローラ３６の上下方向の位置を調整可能な上下方向調整機構と、を備える。
戸先側ガイドローラ位置調整機構６は、図１６及び図１７に示すように、４つの横長孔６１３が設けられた戸先側縦芯材６１（縦材）と、裏板部材６２と、４つの横長孔６３１が設けられた中間カバー部材６３と、２つの縦長孔３６２ａが設けられた戸先側ガイドローラ３６と、４つの締結ネジ６４と、を備える。
【００７０】
戸先側縦芯材６１は、一対の縦芯材３１３のうち、見付方向の戸先側の一端部に配置される縦芯材である。戸先側縦芯材６１は、上下方向に延びる。戸先側縦芯材６１の外側側面６１１側には、上下方向に延びる側面カバー材６５が取り付けられる。側面カバー材６５の下部には、下部開口６５１が形成されている。
【００７１】
戸先側ガイドローラ３６がスライドドア３の戸先側の端部に取り付けられた状態において、図１１に示すように、側面カバー材６５の下部開口６５１には、表面カバー６６が取り付けられている。表面カバー６６の裏面には、一対の係合突起６６１が形成され、一対の係合突起６６１は、戸先側ガイドローラ位置調整機構６の中間カバー部材６３（後述）の一対の係合部６３３に係合する。
【００７２】
戸先側縦芯材６１は、図１６に示すように、外側側面６１１において、引っ掛け開口６１２と、４つの横長孔６１３と、２つの水平保持ガイド溝６１４（ガイド溝）と、を有する。引っ掛け開口６１２、４つの横長孔６１３及び２つの水平保持ガイド溝６１４は、外側側面６１１における上方から下方に向けて、引っ掛け開口６１２、横長孔６１３、水平保持ガイド溝６１４、横長孔６１３、横長孔６１３、水平保持ガイド溝６１４、横長孔６１３の順に並べられて形成される。引っ掛け開口６１２、４つの横長孔６１３及び２つの水平保持ガイド溝６１４は、戸先側縦芯材６１に側面カバー材６５を取り付けた状態において、側面カバー材６５の下部開口６５１を介して外部に露出する。
【００７３】
引っ掛け開口６１２は、方形横長状に開口する。引っ掛け開口６１２には、裏板部材６２の引っ掛け片６２１を引っ掛けることが可能である。
【００７４】
４つの横長孔６１３は、それぞれ、屋内外方向に延びて形成され、締結ネジ６４が貫通されて配置される。締結ネジ６４は、横長孔６１３を貫通した状態で、戸先側ガイドローラ３６と裏板部材６２とを締結する。締結ネジ６４を緩めることで、締結ネジ６４の先端側に接続される裏板部材６２が、横長孔６１３に沿って屋内外方向に移動可能となる。
【００７５】
２つの水平保持ガイド溝６１４は、それぞれ、裏板部材６２を屋内外方向に移動させる場合に、裏板部材６２の突出平板６２２（突出片）を屋内外方向の水平方向にガイドするガイド溝である。水平保持ガイド溝６１４は、図１７に示すように、上側から下方側に突出し且つ屋内外方向に並んで配置される複数の第１突起６１４ａと、下側から上方側に突出し且つ屋内外方向に並んで配置される複数の第２突起６１４ｂと、が左右方向にずれた位置に形成されており、複数の第１突起６１４ａと複数の第２突起６１４ｂとの間に開口横溝６１４ｃが形成されている。開口横溝６１４ｃには、裏板部材６２の突出平板６２２が屋内外方向に移動可能に配置される。
【００７６】
水平保持ガイド溝６１４においては、開口横溝６１４ｃに配置された裏板部材６２の突出平板６２２は、突出平板６２２が屋内外方向に移動して、屋内外方向のいずれの位置においても、水平状態を保持するように、複数の第１突起６１４ａ及び複数の第２突起６１４ｂのうち、少なくとも、上側又は下側において２つ、その反対側の上側又は下側で１つが当接するように形成されている。
【００７７】
裏板部材６２は、スライドドア３の左右方向の一端部の内部において、戸先側縦芯材６１の内側に配置され、戸先側縦芯材６１に沿って上下方向に延びる板状に形成される。裏板部材６２は、戸先側縦芯材６１の内部において、戸先側ガイドローラ３６をスライドドア３の戸先側の端部の下部に４つの締結ネジ６４により固定する場合に、裏板として機能する。
【００７８】
４つの締結ネジ６４は、戸先側ガイドローラ３６の屋内外方向の位置を調整可能な締結ネジである。４つの締結ネジ６４は、戸先側縦芯材６１の横長孔６１３を貫通した状態で、戸先側ガイドローラ３６と裏板部材６２とを締結する。裏板部材６２は、４つの締結ネジ６４を緩めた状態において、戸先側ガイドローラ３６とともに屋内外方向に移動可能である。
【００７９】
裏板部材６２は、引っ掛け片６２１と、２つの突出平板６２２と、を有する。
引っ掛け片６２１は、裏板部材６２の上端部に配置され、戸先側縦芯材６１側に突出すると共に、下方が開放する逆Ｕ字状に形成される。引っ掛け片６２１は、戸先側縦芯材６１の内部側から、戸先側縦芯材６１の引っ掛け開口６１２及び中間カバー部材６３の引っ掛け開口６３２に引っ掛けることが可能である。
【００８０】
２つの突出平板６２２は、それぞれ、戸先側縦芯材６１側に突出すると共に、屋内外方向に水平に延びる。突出平板６２２は、戸先側縦芯材６１の内部側から、戸先側縦芯材６１の水平保持ガイド溝６１４に挿入され、裏板部材６２が屋内外方向に移動された場合に、水平保持ガイド溝６１４にガイドされることで水平が保持される。
【００８１】
中間カバー部材６３は、上下方向に延びる板状に形成される。中間カバー部材６３は、戸先側縦芯材６１の側面に取り付けられる側面カバー材６５の下部開口６５１において、戸先側縦芯材６１の側面に沿って配置される。中間カバー部材６３は、屋内外方向に移動しない状態で、側面カバー材６５の下部開口６５１に取り付けられている。
【００８２】
中間カバー部材６３には、４つの横長孔６３１と、引っ掛け開口６３２と、が形成される。４つの横長孔６３１は、それぞれ、屋内外方向に延びる。４つの横長孔６３１には、それぞれ、締結ネジ６４が貫通して配置される。横長孔６３１においては、締結ネジ６４を緩めた場合に、横長孔６３１に沿って締結ネジ６４を屋内外方向に移動させることが可能である。
【００８３】
戸先側ガイドローラ３６の取付板３６２には、上下方向に離間して配置される２つの縦長孔３６２ａが形成される。縦長孔３６２ａは、戸先側縦芯材６１の横長孔６１３と一部が重なった状態で配置されている。２つの縦長孔３６２ａは、それぞれ、上下方向に延びて形成され、戸先側縦芯材６１の横長孔６１３を貫通する４つの締結ネジ６４のうち、２つの締結ネジ６４１が貫通して配置される。締結ネジ６４１は、縦長孔３６２ａを貫通した状態で戸先側ガイドローラ３６とスライドドア３とを締結する。締結ネジ６４１を緩めることで、戸先側ガイドローラ３６が締結ネジ６４１に沿って上下方向に移動可能となる。
【００８４】
２つの締結ネジ６４１は、戸先側ガイドローラ３６の縦長孔３６２ａ及び戸先側縦芯材６１の横長孔６１３の両方を貫通した状態で、戸先側ガイドローラ３６と裏板部材６２とを締結することで、戸先側ガイドローラ３６とスライドドア３とを締結する。２つの締結ネジ６４１は、戸先側ガイドローラ３６の上下方向の位置及び屋内外方向の位置の両方を調整する際に使用される共通の締結ネジである。
【００８５】
以上のように構成される戸先側ガイドローラ位置調整機構６においては、４つの横長孔６１３に貫通して配置される４つの締結ネジ６４を緩めた状態で、裏板部材６２を屋内外方向に移動させて、４つの締結ネジ６４で固定することで、屋内外側方向の位置を調整することができる。また、戸先側ガイドローラ３６の縦長孔３６２ａに貫通して配置される２つの締結ネジ６４１を緩めた状態で、戸先側ガイドローラ３６を上下方向に移動させて、２つの締結ネジ６４１で固定することで、上下方向の位置を調整することができる。
【００８６】
戸尻側ガイドローラ３７の詳細について説明する。戸尻側ガイドローラ３７は、図７に示すように、スライドドア３が閉位置に位置する場合に、スライドドア３の戸尻側において、下枠２２の上面から突出した状態で下枠２２に配置される。戸尻側ガイドローラ３７は、スライドドア３の下部に設けられた下部ガイド枠３３（図９参照）をガイドするガイドローラである。
【００８７】
戸尻側ガイドローラ３７は、スライドドア３の屋内外方向の移動を規制しながら、スライドドア３を左右方向にスライド移動可能にガイドする。戸尻側ガイドローラ３７の左右方向の縦枠２３側には、図１８に示すように、スライド方向位置規制部材３９が配置される。スライド方向位置規制部材３９は、下枠２２の上面から突出して配置される。スライド方向位置規制部材３９は、スライドドア３が開位置から更に開く側への移動を規制する。
【００８８】
戸尻側ガイドローラ３７は、図１８〜図２０に示すように、下枠２２の上面板２２１を上下方向に貫通して配置される。戸尻側ガイドローラ３７は、ローラ部３７１と、ガイド軸部３７２（軸部）と、を有する。ガイド軸部３７２は、下枠２２の上面板２２１を貫通した状態で、下枠２２の上面板２２１から上方に突出すると共に、下枠２２の上面板２２１の下方において裏板部材７１（後述）に接続される。ローラ部３７１は、下枠２２の上面板２２１の上方において、図１８に示すように、上下方向の延びる軸を中心に回転可能に、ガイド軸部３７２の先端に接続される。ローラ部３７１は、図９に示すように、スライドドア３の下部に固定された下部ガイド枠３３の内部に配置され、スライドドア３を屋内外に移動しないようにガイドする。
【００８９】
戸尻側ガイドローラ３７は、戸尻側ガイドローラ位置調整機構７（ガイド部材位置調整機構）により、スライドドア３の屋内外方向の位置を調整可能に構成される。
戸尻側ガイドローラ位置調整機構７は、スライド移動可能なスライドドア３の下部に配置された下部ガイド枠３３をガイドする戸尻側ガイドローラ３７の屋内外方向の位置を調整可能である。
【００９０】
戸尻側ガイドローラ位置調整機構７は、図１８〜図２０に示すように、下枠２２と、戸尻側ガイドローラ３７（ガイド部材）と、裏板部材７１と、収容部材７２と、締結ネジ７３と、を備える。
【００９１】
下枠２２の上面板２２１には、図２０に示すように、ガイドローラ側調整孔２２１ａと、スライド方向位置規制部材側調整孔２２１ｂと、２つの締結ネジ用孔２２１ｃと、が形成される。
【００９２】
ガイドローラ側調整孔２２１ａには、戸尻側ガイドローラ３７のガイド軸部３７２が挿入される。ガイドローラ側調整孔２２１ａの径は、ガイド軸部３７２の下端部３７２ａの径よりも大きな径で形成される。ガイド軸部３７２の下端部３７２ａは、図２１及び図２２に示すように、ガイドローラ側調整孔２２１ａを貫通した状態で、裏板部材７１に固定される。
【００９３】
スライド方向位置規制部材側調整孔２２１ｂには、スライド方向位置規制部材３９の下端部３９１が挿入される。スライド方向位置規制部材側調整孔２２１ｂの径は、スライド方向位置規制部材３９の下端部３９１の径よりも大きな径で形成される。スライド方向位置規制部材３９の下端部３９１は、図２１に示すように、スライド方向位置規制部材側調整孔２２１ｂを貫通した状態で、裏板部材７１に固定される。
【００９４】
２つの締結ネジ用孔２２１ｃには、下枠２２の上面板２２１に裏板部材７１を固定する締結ネジ７３が挿入される。締結ネジ７３は、締結ネジ用孔２２１ｃを貫通した状態で、下枠２２の上面板２２１と裏板部材７１とを締結する。
【００９５】
裏板部材７１は、下枠２２の上面板２２１の下方側に配置される。裏板部材７１は、戸尻側ガイドローラ３７及びスライド方向位置規制部材３９を下枠２２に締結ネジ７３により固定する場合に、裏板として機能する。裏板部材７１は、下枠２２の上面板２２１の２つの締結ネジ用孔２２１ｃに締結ネジ７３が貫通された状態で、締結ネジ７３により、下枠２２の上面板２２１に固定される。裏板部材７１は、戸尻側ガイドローラ３７の屋内外方向の位置を調整可能な状態で戸尻側ガイドローラ３７に接続される。
【００９６】
裏板部材７１は、下枠２２の上面板２２１の締結ネジ用孔２２１ｃに貫通して接続した締結ネジ７３を回転することで、図２２に示すように、下枠２２の上面板２２１から下方に離れた第１位置Ｐ１と、第１位置Ｐ１よりも下枠２２の上面板２２１に近い第２位置Ｐ２と、に移動されることが可能である。つまり、締結ネジ７３は、裏板部材７１に対して回転することで、裏板部材７１を、第１位置Ｐ１と第２位置Ｐ２とに移動させることが可能に構成されている。
【００９７】
収容部材７２は、下枠２２の上面板２２１の下方側に配置され、裏板部材７１を収容する。収容部材７２は、図２０に示すように、４つの嵌合部７２１を有し、図１９に示すように、４つの嵌合部７２１により、下枠２２の上面板２２１の下面に嵌合して取り付けられる。なお、収容部材７２は、下枠２２に嵌合して取り付けられることに限定されず、裏板部材７１と同様に、下枠２２の上面板２２１にネジ固定により取り付けられてもよい。
【００９８】
収容部材７２は、屋内外方向において、図２２に示すように、裏板部材７１が第１位置Ｐ１に位置した場合に、裏板部材７１の屋内外方向の両端部の外側には、一対の屋内外方向位置規制壁７２４（屋内外方向位置規制部）が形成されており、裏板部材７１の屋内外方向の移動が規制される。
また、収容部材７２は、裏板部材７１が第２位置Ｐ２に位置する場合に、裏板部材７１の屋内外方向の両端部の外側には裏板部材７１の屋内外方向の移動が許容される位置に一対の外壁７２３が形成されており、裏板部材７１の屋内外方向への移動が許容される。
【００９９】
収容部材７２は、左右方向の両端部において、図２１に示すように、一対の左右方向位置規制壁７２２が形成されており、裏板部材７１は、一対の左右方向位置規制壁７２２により、左右方向の移動が規制される。
【０１００】
裏板部材７１を下枠２２の上面板２２１の下面に締結ネジ７３により取り付ける場合には、収容部材７２の一対の屋内外方向位置規制壁７２４及び一対の左右方向位置規制壁７２２に囲まれる領域に裏板部材７１を配置して、収容部材７２を下枠２２の上面板２２１の下面に嵌合させる。この状態において、裏板部材７１は第１位置Ｐ１において、屋内外方向及び左右方向の位置決めがされている。
【０１０１】
そして、ガイド軸部３７２の下端部３７２ａをガイドローラ側調整孔２２１ａに貫通させた状態で裏板部材７１に接続すると共に、スライド方向位置規制部材３９の下端部３９１をスライド方向位置規制部材側調整孔２２１ｂに貫通させた状態で裏板部材７１に接続する。
【０１０２】
また、下枠２２の上面板２２１の２つの締結ネジ用孔２２１ｃに締結ネジ７３を貫通させた状態で、締結ネジ７３の先端を裏板部材７１に螺合させる。この場合、裏板部材７１は第１位置Ｐ１において屋内外方向及び左右方向の位置決めがされているため、締結ネジ７３の先端を裏板部材７１に螺合させ易く、作業性を向上できる。
【０１０３】
続けて、締結ネジ７３を裏板部材７１に対して回転する。これにより、裏板部材７１を、下枠２２の上面板２２１から下方に離れた第１位置Ｐ１から、第１位置Ｐ１よりも下枠２２の上面板２２１に近い第２位置Ｐ２に移動させる。裏板部材７１が第２位置Ｐ２に位置する場合には、裏板部材７１の屋内外方向の移動は許容されているため、戸尻側ガイドローラ３７のガイド軸部３７２及びスライド方向位置規制部材３９の屋内外方向の位置を調整する。その後、締結ネジ７３により、下枠２２と裏板部材７１とを固定する。
【０１０４】
従来、下枠を設置する場合に、下枠の下方側がモルタルやセメントなどで固められていることがあった。これに対して、本発明においては、裏板部材７１が収容部材７２に覆われているため、締結ネジ７３を緩めた状態で裏板部材７１を第２位置Ｐ２に位置させることで、裏板部材７１を屋内外方向に移動させることができる。よって、下枠２２の下方側がモルタルやセメントなどで固められていて収容部材７２がモルタルやセメントなどに覆われている場合であっても、締結ネジ７３を緩めて裏板部材７１を屋内外方向に移動させることで、戸尻側ガイドローラ３７の屋内外方向の位置を調整することができる。
【０１０５】
以上説明してきたように、本実施形態によれば、以下の効果が奏される。
本実施形態の建具１は、枠体２と、枠体２内にスライド移動可能に配置される戸体３と、スライドドア３の戸先側に取り付けられスライドドア３の下部の側方に配置される戸先側ガイドローラ３６と、スライドドア３の下部の側方に配置され戸体３のスライド方向に沿って延びると共に戸先側ガイドローラ３６をスライド方向に移動可能にガイドする側方ガイド２６と、を備え、側方ガイド２６は、側部に設けられ戸先側ガイドローラ３６を挿入可能なガイドローラ挿入部２６４を有する。
そのため、枠体２にスライドドア３を組み付けた後に、戸先側ガイドローラ３６をスライドドア３に容易に取り付けることできる。これにより、戸先側ガイドローラ３６をスライドドア３に取り付ける際の作業性を向上できる。
また、枠体２にスライドドア３を組み付けた後に、戸先側ガイドローラ３６をスライドドア３に取り付けることができため、戸先側ガイドローラ３６が変形することを低減させることができ、
また、スライドドア３を枠体２から取り外さない状態で、戸先側ガイドローラ３６を介して、ガイドローラ挿入部２６４を取り外すことができる。これにより、戸先側ガイドローラ３６の交換などのメンテナンス性を向上させることができる。
【０１０６】
また、本実施形態においては、ガイドローラ挿入部２６４は、戸先側ガイドローラ３６を挿入可能に側方ガイド２６の側部の少なくとも一部を開放した開口部により構成される。そのため、ガイドローラ挿入部２６４を開口部により構成することで、戸先側ガイドローラ３６をガイドローラ挿入部２６４に挿入し易い。これにより、戸先側ガイドローラ３６をスライドドア３に取り付ける際の作業性を向上できる。
【０１０７】
また、本実施形態においては、ガイドローラ挿入部２６４は、側方ガイド２６におけるスライドドア３の戸先側の端部に配置される。側方ガイド２６におけるスライドドア３の戸先側の端部において、戸先側ガイドローラ３６をガイドローラ挿入部２６４に挿入すればよいため、戸先側ガイドローラ３６をスライドドア３に取り付ける際の作業性を向上できる。
【０１０８】
また、本実施形態においては、スライドドア３が閉位置に位置する場合に、見付方向において、戸先側ガイドローラ３６における側方ガイド２６に配置されるローラ部３６１は、ガイドローラ挿入部２６４よりもスライドドア３の戸尻側に位置する。これにより、スライドドア３が左右方向のいずれの位置に位置していても、スライドドア３の取り付けられた戸先側ガイドローラ３６のローラ部３６１は、ガイドローラ挿入部２６４から外に出ることが抑制される。
【０１０９】
以上、本発明の好ましい実施形態について説明したが、本発明は、上述の実施形態に制限されるものではなく、適宜変更が可能である。
【符号の説明】
【０１１０】
１  建具
２  枠体
３  スライドドア（戸体）
２６  側方ガイド（ガイドレール）
３６  戸先側ガイドローラ（ガイド部材）
２６４  ガイドローラ挿入部（ガイド部材挿入部）
３６１  ローラ部
３６２  取付板
３６３  腕部
【図１】
2020200634.tif 000003
【図２】
2020200634.tif 000004
【図３】
2020200634.tif 000005
【図４】
2020200634.tif 000006
【図５】
2020200634.tif 000007
【図６】
2020200634.tif 000008
【図７】
2020200634.tif 000009
【図８】
2020200634.tif 000010
【図９】
2020200634.tif 000011
【図１０】
2020200634.tif 000012
【図１１】
2020200634.tif 000013
【図１２】
2020200634.tif 000014
【図１３】
2020200634.tif 000015
【図１４】
2020200634.tif 000016
【図１５】
2020200634.tif 000017
【図１６】
2020200634.tif 000018
【図１７】
2020200634.tif 000019
【図１８】
2020200634.tif 000020
【図１９】
2020200634.tif 000021
【図２０】
2020200634.tif 000022
【図２１】
2020200634.tif 000023
【図２２】
2020200634.tif 000024